(57)【要約】    【課題】コンクリート構造物の基礎であるフーチングの内部に設けられる定着筋と、その上に立設される柱の柱筋との接続に際し、定着筋と柱筋との相互干渉を回避することにより、現場施工性を高めることのできるコンクリート基礎柱及びその製造方法を提供することを目的とする。    【解決手段】基礎フーチング２内の定着筋２ｂと、前記基礎フーチング上に立設されるコンクリート柱３の柱筋３ａとの接続部において、前記柱筋３ａの少なくとも一部の柱筋３ｃ、３ｄ、３ｅを、前記定着筋２ｂと兼用させて接続する。    【選択図】図１
2006265963.tif 000002
【特許請求の範囲】
【請求項１】
基礎フーチング内の定着筋と、前記基礎フーチング上に立設されるコンクリート柱の柱筋との接続部において、前記柱筋の少なくとも一部を、前記定着筋と兼用させて接続したことを特徴とするコンクリート基礎柱。
【請求項２】
前記柱筋の全部を、前記定着筋と兼用させたことを特徴とする請求項１に記載のコンクリート基礎柱。
【請求項３】
前記コンクリート柱の軸直角断面は、四角形以上の矩形形状であることを特徴とする請求項１又は２に記載のコンクリート基礎柱。
【請求項４】
前記基礎フーチングは、その下方からコンクリート杭により支持されているとともに、前記フーチング内の柱筋又は定着筋が、前記コンクリート杭の杭頭部内に挿入されて杭頭内部の鉄筋と接続されていることを特徴とする請求項１乃至３のいずれかに記載のコンクリート基礎柱。
【請求項５】
少なくとも、基礎フーチング内の定着筋と、その上に立設されるコンクリート柱の柱筋とを接続し、その後型枠施工し、コンクリート打設することにより、前記基礎フーチング上に立脚するコンクリート柱を形成するコンクリート基礎柱の製造方法において、前記柱筋の少なくとも一部を、前記定着筋と兼用させて接続することにより、前記定着筋及び柱筋との相互干渉を回避することを特徴とするコンクリート基礎柱の製造方法。
【発明の詳細な説明】
【技術分野】
【０００１】
本発明は、コンクリート構造物の基礎であるフーチングの内部に設けられる定着筋と、その上に立設される柱の柱筋との接続方法の改良に関するものである。
【背景技術】
【０００２】
従来、コンクリート杭を土中深く打ち込み、その上に所定容積の基礎フーチングを設け、その上にコンクリート柱を形成する場合、柱上部の構築物の荷重を支えるとともに水平荷重にも耐えられるように、フーチング内部において定着筋と柱筋とを強固に接続する必要がある。また、通常、設置すべきコンクリート柱はその本数が多いことから、配筋、型枠施工及びコンクリート打設等の一連の現場作業は作業性よく行わなければならない。
【０００３】
これら一連の作業を例えば従来の基礎フーチング及びコンクリート柱の縦断面図である図３により説明する。
【０００４】
図に示すコンクリート構造物の基礎及び柱構造は、土中深く埋め込まれたコンクリート杭１の上方に型枠施工し、その内部へのコンクリート打設により所定容積の基礎フーチング２を設け、これに水平梁（基礎梁）４を接続するとともに、前記基礎フーチング２の上にコンクリート柱３を立設し、さらに高さＨの２階部分に水平梁４を設けた構造のものである。そして、前記コンクリート杭１、基礎フーチング２及びコンクリート柱３内部の鉄筋の配筋及びその接続については、コンクリート杭１の杭頭部１ａの上方にフーチングのベース筋２ａを敷設し、その上部に柱筋３ａを立設し、コンクリート杭１内部の杭頭主筋１ｂとフープ筋１ｃと柱筋３ａとを、所定長さ（柱筋３ａとの重複長さＬ）を有する定着筋２ｂで定着連結し、その後打設するフーチング２のコアコンクリートを介して柱筋３ａとの定着を図っていた。
【０００５】
このような定着筋の配置及び作業性改善に関する従来技術として、例えば特許文献１に記載のものがあるが、この技術は建設現場近くの敷地内で予め、独立フーチング表面から所定長の水平筋及び柱筋接続用の定着筋を突出させた態様のものを、型枠施工後、コンクリート打設して大量に製造しておくというものである。
【特許文献１】特開平８−７４２６５号公報
【発明の開示】
【発明が解決しようとする課題】
【０００６】
ところで、建築作業現場における上記定着筋２ｂの配筋及び接続作業に際しては、図３のII−II線矢視方向の断面図である図４に示すように、杭頭主筋１ｂ及びフープ筋１ｃの
中央部に配される複数本のコンクリート杭頭主筋１ｂ（図中白丸印で示したもの）と、コンクリート杭１、フーチング２及びコンクリート柱３のうち、その最上部に位置するコンクリート柱３の四隅に存する４本の主筋３ａとこれら柱主筋間に位置する複数の柱筋３ｃ、３ｄ、３ｅとを、所定定着長の定着筋２ｂ（図中の黒丸印）で定着接続する必要があるが、これには定着筋２ｂの全てを柱主筋３ａ及びフープ筋３ｂに接触しないように配置する必要がある。
【０００７】
しかし、このような配置は、四隅の柱主筋３ａ間に位置する複数の柱筋３ｃ、３ｄ、３ｅ等のうち、図４では、少なくとも３ｃ、３ｄ、３ｅの柱筋が定着筋２ｂと干渉しているので（図の白丸と黒丸の重複状態をいう。）、現実には図のような配筋構成がとれない。かかる問題があると、定着筋２ｂや柱筋３ｃ、３ｄ、３ｅの端部を無理に曲げて接続することになり、この部位での鉄筋の強度低下が起こるばかりかこのような接続作業に手間取るという問題があった。さらに、これに加えて、肋筋６で包囲された地中梁である水平梁主筋５の数本も定着筋と柱筋の隙間を縫って水平に貫通配置させねばならないため、より一層の定着筋及び柱筋との相互干渉が避けられず、近年の比較的配筋量の多い耐震設計の行われた中高層建築物においては、その現場施工性を極めて悪いものにしていた。
【０００８】
また、特許文献１記載の従来技術においても、前述したように定着筋の接続方法の改善に関するものではないため、定着筋と柱筋の干渉の問題は依然として存在していた。
【０００９】
そこで、本発明は、前述の問題点に鑑みてなされたもので、コンクリート構造物の基礎であるフーチングの内部に設けられる定着筋と、その上に立設される柱の柱筋との接続に際し、定着筋と柱筋との相互干渉を回避することにより、現場施工性を高めることのできるコンクリート基礎柱及びその製造方法を提供することを目的とする。
【課題を解決するための手段】
【００１０】
前述の目的を達成するため、本発明のコンクリート基礎柱は、基礎フーチング内の定着筋と、前記基礎フーチング上に立設されるコンクリート柱の柱筋との接続部において、前記柱筋の少なくとも一部を、前記定着筋と兼用させて接続したことを特徴とする。
【００１１】
この場合、前記柱筋の全部を前記定着筋と兼用させてもよく、この方がより一層現場施工性を高めることができる。
【００１２】
前記柱筋の軸直角断面は、円形形状のものであってもよいが、干渉を避けるためには四角形以上のものがより好ましく、四角形のものが最も好ましい。
【００１３】
前記基礎フーチングに対する支持構造としては、その下方からコンクリート杭により支持されるものがあるが、この場合は前記基礎フーチング内の柱筋又は定着筋が、前記コンクリート杭の杭頭部内に挿入されて杭頭部鉄筋と接続されているのがよい。
【００１４】
上記の本発明のコンクリート基礎柱の製造方法は、次のとおりである。
【００１５】
すなわち、少なくとも、基礎フーチング内の定着筋と、その上に立設されるコンクリート柱の柱筋とを接続し、その後型枠施工し、コンクリート打設することにより、前記基礎フーチング上に立脚するコンクリート柱を形成するコンクリート基礎柱の製造方法において、前記柱筋の少なくとも一部を、前記定着筋と兼用させて接続することにより、前記定着筋及び柱筋との相互干渉を回避することを特徴とする。
【発明の効果】
【００１６】
本発明によれば、基礎フーチング内の定着筋とコンクリート柱の柱筋とを接続するに際し、前記柱筋の少なくとも一部を前記定着筋と兼用させて配筋し、両筋を接続するので、基礎フーチング及び柱基端部における定着筋と柱筋との相互緩衝を避けることができる。      
【００１７】
したがって、柱基端部における鉄筋接続作業が極めて容易になり、現場施工性を格段に向上させることができる。かかる効果は、独立フーチングのみならず、水平の基礎梁を設ける連続フーチングの場合により一層顕著になる。
【００１８】
また、従来技術のように基礎フーチング及び柱基端部における鉄筋接続部において、無理に鉄筋を曲げる必要がなくなったため、鉄筋本来の強度をストレートに発現することができ、柱基端部における強度も格段に向上する。
【発明を実施するための最良の形態】
【００１９】
以下、本発明の最良の形態を図１及び図２に基づいて説明する。
【００２０】
図１は、本発明のコンクリート基礎柱の基端部における縦断面図で、前述の図３のものと同様、杭基礎タイプのものである。なお、この図は、本発明の要部のみを示しているが、図示省略部分は前述の図３に示した基礎及び柱構造を備えている。
【００２１】
図１において、１は、土中深く適当な手段により打設されたコンクリート杭であり、その杭頭部１ａには、内部に杭頭主筋１ｂと、その外側を包囲するフープ筋１ｃとを有している。その内部には、杭頭主筋１ｂとフープ筋１ｃとに接続するため、後述するコンクリート柱３の柱主筋３ａが挿入されるが、杭頭部挿入孔の孔形状は、地震発生時の上部建物の水平慣性力を円形の杭に効率良く伝達するために円形の括れ状になっている。
【００２２】
また、杭頭部１ａの頂部は、その外形を杭一般部よりも局所的に小さくした杭頭テーパー部１ｄとなっており、地震荷重等が杭頭部に働いた場合の曲げモーメントが低減できるようにするため、上部構造物に対して剛接合とピン接合の中間的な接合（半剛接合）となっている。
【００２３】
基礎フーチング２は、低部に配筋されたベース筋２ａと、図示省略の籠状筋等とが連結されて強固に補強された後、周囲が側型枠施工され、コンクリート打設されて所要容積の基礎フーチングを形成している。さらにその上部の３は、内部の柱主筋３ａ及びこれに外接するフープ筋３ｂとで補強され、コンクリート打設されたコンクリート柱である。このように、図に示す態様の本発明のコンクリート基礎柱４は、基礎杭１と、基礎フーチング２と、コンクリート柱３とからなり、これら３部位が内部の柱主筋３ａで強固に連結されて一体化され、柱上部の図示省略の構築物を支えている。
【００２４】
この場合、本発明のコンクリート基礎柱４は、その基端部において、図４で説明したように、柱内部に存在する複数本の柱筋のうち、その少なくとも一部である前述の図４の柱筋３ｃ、３ｄ、３ｅが（図１では省略している。）、定着筋２ｂと兼用された状態で杭頭主筋１ｂと定着接続された後、ストレートに上方のコンクリート柱内部にまで延設され、その途中に位置する基礎フーチング２内のベース筋２ａ等の鉄筋ともフーチングのコアコンクリートを介して接続されている。ここで、本発明で言う「兼用」とは、前述の図で示した柱筋３ｃ、３ｄ、３ｅが定着筋２ｂと干渉する場合には、干渉する部位の定着筋２ｂを用いないで、近傍に位置する柱筋で兼用することをいう。この場合に用いる柱筋３ａの長さは、図３で示した柱筋３ｆのように天井高さＨの１／２あるいはその全長Ｈであってもよく、必要に応じて適宜決定される。なお、図１では左右の柱主筋３ａのみが定着筋２ｂと兼用させているため、従来の定着筋を省略して杭頭内部にまで伸びているが、兼用できない定着筋２ｂについては従来の工法で柱あるいは杭頭部に定着接続されている。
【００２５】
柱３の断面形状は、円形、矩形断面などとすることができ、特に限定するものではないが、図１のII−II矢視方向の断面図である図２に示すように四角形のものがよい。このよ
うな形状のものであると円形断面のものに比べて、柱基端部における水平梁との干渉を避けやすいからである。なお、以上の基礎柱構造は独立フーチングの態様のものであるが、図３と同様に複数のフーチング間を地中梁の基礎梁（水平梁）で接続する連続フーチングの態様のものであってもよい。
【００２６】
以上に説明した図１の本発明のコンクリート基礎柱４は、例えば次のようにして製造（施工）することができる。
【００２７】
まず、適当な手段でコンクリート杭１の地盤掘削を地中深く行って杭配筋を行う。そして、コンクリート杭の杭頭部１ａの内部に所要長さ及び本数の柱筋３ａを立設するが、このとき、定着筋２ｂと干渉する部位の柱筋３ａ、つまり定着筋と兼用可能なものについては、その下端部を杭頭主筋１ｂ及びフープ筋１ｃまで延設する。一方、干渉しない位置の柱筋については従来どおり定着筋でその基端部を接続してもよいが、全部の柱筋が兼用できる場合は柱基端部の強度及び施工性が高まるのでその方がよい。
【００２８】
次にコンクリート杭１のコンクリートを打設して、杭頭部１ａの杭頭テーパー部１ｄ直下まで築造し、その後、発泡型枠等にて杭頭テーパー部１ｄを形成する。次にその上に所要面積の基礎フーチング２のベース筋２ａを敷設し、水平梁主筋５、肋筋６（図４参照）等を配筋して柱主筋３ａ及び定着筋２ｂと接続し、その外周に図示しない補強筋等で鉄筋籠補強し、側型枠施工後、コンクリートを打設して、杭頭テーパー部１ｄ及び基礎フーチング２を形成する。なお、杭頭テーパー部１ｄは、基礎フーチング２の配筋と型枠施工に先立ってコンクリートを打設しても良い。そして基礎フーチング２の養生後、続いてコンクリート柱３を上部に形成する。
【００２９】
以上の本発明のコンクリート基礎柱及びその製造方法は、独立フーチングの場合を例にとって説明したが、連続フーチング及びべた基礎フーチングの場合も同様であり、基礎柱の設置本数が増えるほど本発明の効果が発揮されることになる。
【図面の簡単な説明】
【００３０】
【図１】本発明に係るコンクリート基礎柱のフーチング部の一実施形態の縦断面図である。
【図２】図１のコンクリート基礎柱のＩ−Ｉ線に沿う横断面図である。
【図３】従来のコンクリート基礎柱の縦断面図である。
【図４】図３のコンクリート基礎柱のII−II線に沿う横断面図である。
【符号の説明】
【００３１】
１    コンクリート杭
１ａ  杭頭部
１ｂ  杭頭主筋
１ｃ  フープ筋
１ｄ  杭頭テーパー部
２    フーチング
２ａ  ベース筋
２ｂ  定着筋
３    コンクリート柱
３ａ  柱主筋
３ｂ  フープ筋
３ｃ、３ｄ、３ｅ  柱筋
４    コンクリート基礎柱（本発明）
５    水平梁主筋（基礎梁主筋）
６    肋筋
【図１】
2006265963.tif 000003
【図２】
2006265963.tif 000004
【図３】
2006265963.tif 000005
【図４】
2006265963.tif 000006